(57)【特許請求の範囲】
【請求項１】
便器本体の上部後背部に取付けられ、便座暖房、あるいは人体の局部に対して洗浄水を噴射するための機能部を内蔵したケーシングを有する装置において、前記ケーシング前面の傾斜面両端部には、係合突起を上方に突設し、この係合突起には、下部に前記係合突起が遊嵌する凹穴を備えて、上部に便座および便蓋の後背部両端に設けたヒンジ部に取付けられて前記便座および便蓋の閉じ方向に抵抗力を付与するソフト閉止ユニットのヒンジ軸を回動不能に挿通支持したヒンジブロックを挿脱自在に取付け、このヒンジブロックに、前記便座の後背部端縁および便蓋の後背部端縁に形成した係止手段を、前記便座および便蓋を起立させたときそれぞれ当接させ、便座および便蓋が所定角度以上ケーシング側に傾倒しないよう回動を規制したことを特徴とする便座装置。
【請求項２】
前記便座および便蓋の後背部両端に形成したヒンジ部に取付けられて、前記便座および便蓋の閉じ方向に抵抗力を付与するソフト閉止ユニットのヒンジ軸突端と、前記ヒンジ軸に挿脱自在に嵌合するヒンジブロックの支持孔の開口端とに、それぞれ対応する位置において斜設部を形成するようにしたことを特徴とする請求項１記載の便座装置。
【請求項３】
便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、この支持部に、便座および便蓋を起立させたとき前記便座の後背部端縁および便蓋の後背部端縁をそれぞれ当接させ、かつ、前記便座の先端には、前記支持部に便座起立時に加わる自立力を軽減する重りを具備させたことを特徴とする便座装置。
【請求項４】
前記便座起立時支持部に加わる自立力を軽減する重りは、便座と同質材料にて便座と一体的に形成、あるいは、単一の重り部材を便座先端に収容・固定して設けるようにしたことを特徴とする請求項３記載の便座装置。
【請求項５】
前記便蓋の上部側面壁，表面壁の内側に、便蓋脚を取付ける便蓋脚取付孔部を複数形成し、前記複数の便蓋脚取付孔部を形成する区画壁と前記便蓋の側面壁，表面壁とが交差する境界壁面を、前記側面壁とほぼ同厚としたことを特徴とする請求項１〜４のいずれか１項に記載の便座装置。
【発明の詳細な説明】
【０００１】
【発明の属する技術分野】
本発明は、便器電装品をケーシングの内部に収納した装置の改良に係り、その目的とするところは、便座、便蓋を便器本体上で起立させたとき、便蓋の表面が前記ケーシングや便器本体の洗浄水を貯留するロータンクの前面に衝接して損傷するのを良好に回避して、便座等の取付けを可能とした便座装置に関する。
【０００２】
【従来の技術】
従来から、腰掛式の水洗便器は、通常の便座単体を直接便器本体に具備する場合と、多機能便座と呼ばれ局部洗浄機能，脱臭機能及び便座暖房機能等をケーシングの中に備えて、このケーシングを便器本体に据え付けて使用するものとがある。特に、後者においては、局部洗浄用のノズル装置，洗浄水の加熱供給系，脱臭装置及びその制御部を図２４に示すケーシング１０１の中に備え、このケーシング１０１を便器本体１０２に固定する方式であり、前記ケーシング１０１には便座１０３と便蓋１０４とを取付けた構造を備えている。
【０００３】
一方、前記便座１０３及び便蓋１０４が閉じるときに図示しないヒンジ機構の回転に抵抗力を付加して、便座１０３等を緩やかに動作させるように構成したソフト閉止ユニットも従来から利用されている。前記ソフト閉止ユニットとしては、例えば、特開平２−６３４２４号公報に記載されたもの等があり、その構造は、便座１０３及び便蓋１０４のそれぞれのヒンジ軸を差し込み、便座１０３，便蓋１０４を便器本体１０２に倒したとき、この閉止便座１０３等が急激に傾倒するのを抑制する抵抗機構等を内蔵して構成したものが一般に採用されている。
【０００４】
便座装置に、このようなソフト閉止ユニットを備える場合、外観等の点からソフト閉止ユニットを便座装置のケーシングの中に納めることが好ましく、従来でもこのような方式が採用されている。そして、便座と便蓋のそれぞれの基端部の左右を一対のソフト閉止ユニットにヒンジ軸によって連接し、便座と便蓋とをそれぞれ独立した状態で開閉させるために、一方のソフト閉止ユニットを便座用及び他方を便蓋用として使用している。
【０００５】
【発明が解決しようとする課題】
然るに、前記ソフト閉止ユニットにおいては、便座・便蓋を便器本体の上面を閉鎖する方向に倒伏する場合は、抵抗機構の抵抗作用により、便座等を急激に便器本体上に倒伏させることなく、ソフト的に緩やかに倒伏させることができる反面、用足し等に際し、倒伏している便座・便蓋を起立する場合は、ソフト閉止ユニットの抵抗機構が作用しないため、便座等を勢いよく起立させたりすると、便蓋が図２４に示すように、背面下部がケーシングの前面傾斜面に衝接したり、あるいは、便器本体の後背部に併設されている洗浄水貯留用のロータンクに背面上部が勢いよく衝接する。このように、便座等を便器本体から勢いよく起立させることを繰り返していると、経年の間に便蓋の表面がケーシング等との衝接を繰り返すことにより損傷し、その外観の見映えが悪化したり、最悪の場合は便蓋に亀裂が生じたり、破損したりするという問題があった。
【０００６】
また、前記ソフト閉止ユニットの抵抗機構には、一般にコイルスプリングが使用されている。このコイルスプリングは、便座や便蓋を便器本体上に閉鎖させるとき、自然落下させることなく緩やかに閉じることができるように抵抗力を付与するために用いられている。一方、便座等を例えば、９０°以上の角度で起立させたときは、便座等が外力を加えない限り自然に倒伏しないように保持している。この場合、前記コイルスプリングは、少々の外力を加えた程度では便座等が自然に倒伏しないようある程度の抵抗力が維持できるようにばね圧力を強くしたものを用いている関係上、ソフト閉止ユニットの機構が大形化するという問題があった。しかも、便座等の起立に際しても、ある程度力をいれて引き上げないと途中で便座等が原位置に戻ってしまうこともあるため、もう一度やり直したりしなければならず、逆に、便座等を閉じるときは、便座等を軽く倒伏方向に倒したとしても、倒す勢いが弱いと、便座等は途中で停止して起立状態を維持していることがあるため、使用者は後で倒伏させたはずの便座等が起立状態を維持していることに不快感を抱くことがあった。
【０００７】
更に、便蓋においては、衛生面あるいは不浄感を回避する上で便器本体の開口部を被覆するように伏盆状に形成されている。この場合、便蓋は便器本体の上面を被うために形成されている関係上、その表面、側面の板厚は、機械的強度を余り受けないという前提で比較的薄く形成されている。この結果、例えば、図２５，２６で示すように、便蓋１０４の上部側の周面内側に形成されている取付部１０５に弾力性に優れた取付脚１０６を挿着し、便蓋１０４が便器本体１０１の開口部上面に乗載されるとき緩衝的に乗載させる。然るに、前記便蓋１０４の取付部は、図２５，２６で示すように、取付脚１０６を挿着する挿着孔１０７は円形状に形成されているので、便蓋１０４の側面壁１０４ａ及び表面壁１０４ｂの板厚と、取付部１０５を形成する部位（図２５，２６に矢印で示す部位）の肉厚（便蓋１０４の側面１０４ａより厚い）とに差が生じているため、便蓋１０４を合成樹脂にて成形加工する場合、前記肉厚となる肉厚部１０４ｃ側に成形樹脂が成形圧力により押圧されて、成形後前記肉厚部１０４ｃに隣接する便蓋１０４の肉薄な側面壁１０４ａ，表面壁１０４ｂに凹状の歪１０４ｄが生じやすく、この歪１０４ｄの存在により便蓋１０４の見映えが悪くなり、使用者に取付脚１０６を挿着する取付部１０５付近が損傷しているのではないか、という錯覚を誘発させる等のおそれがあった。
【０００８】
本発明は、前記の種々な問題を解消し、便座，便蓋のケーシングへの取付け、枢支状態の簡易化をはかり、便蓋が起立時に損傷したり、枢支部に特別な負担をかけることなく便座，便蓋の起立時における枢支状態を良好に維持可能とした、便座装置を提供することにある。
【００１０】
【課題を解決するための手段】
本発明の請求項１記載の便座装置は、便器本体の上部後背部に取付けられ、便座暖房、あるいは人体の局部に対して洗浄水を噴射するための機能部を内蔵したケーシングを有する装置において、前記ケーシング前面の傾斜面両端部には、係合突起を上方に突設し、この係合突起には、下部に係合突起が遊嵌する凹穴を備えて、上部に便座および便蓋の後背部両端に設けたヒンジ部に取付けられて前記便座および便蓋の閉じ方向に抵抗力を付与するソフト閉止ユニットのヒンジ軸を回動不能に挿通支持したヒンジブロック挿脱自在に取付け、このヒンジブロックに、前記便座の後背部端縁および便蓋の後背部端縁に形成した係止手段を、前記便座および便蓋を起立させたときそれぞれ当接させ、便座および便蓋が所定角度以上ケーシング側に傾倒しないよう回動を規制したことを特徴とする。
【００１１】
本発明の請求項２記載の便座装置は、請求項１記載の便座装置において、前記便座および便蓋の後背部両端に形成したヒンジ部に取付けられて、前記便座および便蓋の閉じ方向に抵抗力を付与するソフト閉止ユニットのヒンジ軸突端と、前記ヒンジ軸に挿脱自在に嵌合するヒンジブロックの支持孔の開口端とに、それぞれ対応する位置において斜設部を形成するようにしたことを特徴とする。
【００１２】
本発明の請求項３記載の便座装置は、便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、この支持部に、便座および便蓋を起立させたとき前記便座の後背部端縁および便蓋の後背部端縁をそれぞれ当接させ、かつ、前記便座の先端には、前記支持部に便座起立時に加わる自立力を軽減する重りを具備させたことを特徴とする。
【００１３】
本発明の請求項４記載の便座装置は、請求項３記載の便座装置において、前記便座起立時支持部に加わる自立力を軽減する重りは、便座と同質材料にて便座と一体的に形成するか、あるいは、単一の重り部材を便座先端に収容・固定して設けるようにしたことを特徴とする。
【００１４】
本発明の請求項５記載の便座装置は、請求項１〜４のいずれか１項に記載の便座装置において、前記便蓋の上部側面壁，表面壁の内側に、便蓋脚を取付ける便蓋脚取付孔部を複数形成し、前記複数の便蓋脚取付孔部を形成する区画壁と前記便蓋の側面壁，表面壁とが交差する境界壁面を、前記側面壁とほぼ同厚としたことを特徴とする。
【００１７】
請求項１記載の発明においては、ケーシング前面の傾斜面両端部に係合突起を上方に向けて突設し、この係合突起に便座および便蓋の後背部両端を枢支するソフト閉止ユニットのヒンジ軸を挿通支持したヒンジブロックを挿脱自在に嵌合し、前記便座の後背部端縁および便蓋の後背部端縁に形成した係止手段を前記ヒンジブロックの後背面に係止させることにより、便座および便蓋を所定の起立角度で係止可能に構成したので、便蓋の表面がケーシング等に衝接するのを良好に阻止できるとともに、便座および便蓋とケーシングとはヒンジブロックを利用して１動作で着脱することができるため、便座等の清掃作業が容易に行うことができる。
【００１８】
請求項２記載の発明においては、ソフト閉止ユニットのヒンジ軸とこのヒンジ軸を挿入支持するヒンジブロックの支持孔は、ともに斜設部を形成し、これら斜設部を利用してヒンジブロックを、ソフト閉止ユニットのヒンジ軸に便座および便蓋の後背部端面に形成した係止手段に妨げられることなく迅速・容易に、かつ、確実に取付けることができるので、これにより、便座の後背部端縁および便蓋の後背部端縁に係止手段が存在していても、ヒンジブロックとソフト閉止ユニットとの組立作業が円滑に行えるという利点がある。
【００１９】
請求項３記載の発明においては、便座をその先端部に重りを具備させて構成するようにしたので、便座を起立させたとき、前記重りの重量が便座の枢支部側に加わることになるため、前記枢支部を構成するソフト閉止ユニットは、前記重りの作用にて便座が倒伏方向に傾斜するのを抑制する抵抗部材の抵抗力軽減が良好に行い得、これによりソフト閉止ユニットの自立力軽減化が可能となり、ソフト閉止ユニットを長期にわたり自立力を低下させることなく使用でき利便である。
【００２０】
請求項４記載の発明においては、前記便座の先端部に設けた重りを、便座と同質材料で便座と一体的に形成するか、あるいは、重り自体を別に設けて便座先端の空所を利用して取付けるように構成したので、便座は前記重りの存在によってコスト高を招いたり、製造に特別な手間を要することなく経済的な製造ができるとともに、前記の如く、ソフト閉止ユニットの抵抗部材の抵抗力軽減が可能となり、抵抗機構の抵抗力軽減に伴い、長期にわたり安定した状態での使用が可能となる。
【００２１】
請求項５記載の発明においては、便蓋の側面壁内側に便蓋脚を取付けるための便蓋脚取付孔部と便蓋の側面壁，表面壁とが交差する境界壁面の板厚を、前記便蓋の側面壁等の板厚とほぼ同厚となるように構成したので、便蓋の成形加工時、板厚差によって便蓋脚取付孔部付近に凹状の歪が生じるのを確実に回避することができるため、便蓋を見映よく美れいに形成することができる。
【００２３】
【発明の実施の形態】
以下、本発明の実施例を図１ないし図１３により説明する。最初に、図１ないし図６において、２はトイレ内に設置した便器本体１（図１，３参照）の上面後背部に据付けた、本発明の便座装置である。
【００２４】
２ａは前記便座装置２の機能部を収納したケーシングであり、前記ケーシング２ａの左側には、前記機能部を操作するための操作部２ｂが設けられており、また、前記ケーシング２ａの前面には、図２，５で示すように、傾斜面２ｃが形成されている。なお、前記傾斜面２ｃの左右両端側には、図４，５で示すように、一対の係合突起２ｄ，２ｄが上方に向けて突設されている。
【００２５】
３は図４に示すように、前記ケーシング２ａの傾斜面２ｃに突設した係合突起２ｄ，２ｄに挿脱自在に取付けられるヒンジブロックで、図５，６で示すように、上部に小判状の支持孔３ａを穿孔するとともに、下部には前記係合突起２ｄ，２ｄが嵌合する凹孔３ｂが穿設されている。なお、図５，６において、３ｃは前記ヒンジブロック３の外周に回動可能に取付けたサポートカバーであり、その内周面に設けた第１の係止フック３ｄを係合突起２ｄに凹設した凹溝２ｅに係合させるとともに、第２の係止フック３ｅをヒンジブロック３の下部後方側に凹設した凹溝３ｆに係合させることにより、図６に示すように、前記ヒンジブロック３を係合突起２ｄに対して抜脱不能に固定する。
【００２６】
つづいて、図１ないし図４において、５は前記便座装置２のケーシング２ａに開閉可能に取付けられる便座であり、その基端側の左右両端部には図３に示すように、ヒンジ部５ａ，５ｂが形成されている。６は前記便座５とともに便座装置２のケーシング２ａに開閉可能に取付けられる便蓋であり、前記便蓋６の基端側の左右両端部にも、前記便座５と同様図３に示すように、ヒンジ部６ａ，６ｂが形成されている。
【００２７】
図４において、７は便座５を便器本体１側に倒伏させる場合に、前記便座５の回動に抵抗力を付与する便座用のソフト閉止ユニットであり、その１例の構造を図１２ないし１４により説明する。図１２において、７ａはヒンジブロック３の支持孔３ａに挿通・固定されるヒンジ軸、７ｂは前記ヒンジ軸７ａの外周に回動可能に配置した中空状の回転筒体である。
【００２８】
前記回転筒体７ｂ内には、ヒンジ軸７ａと連結されて、前記回転筒体７ｂをヒンジ軸７ａに対して抵抗力を付与した状態で緩やかに回動させるための図示しない緩衝機構と、一方端を回転筒体７ｂに連結し、他方端をヒンジ軸７ａに連結して、便座５を起立状態を保持する方向に付勢するためのばね部材からなる付勢機構７ｃ（図１４参照）とが組込まれている。また、前記回転筒体７ｂの外周面には、図１４で示すように、その軸方向の中央部付近から左側に向けて、矩形状のストッパー７ｄが形成されている。なお、図１４において、７ｅはヒンジ軸７ａと回転筒体７ｂとの間を封止するＯリング等の封止部材である。
【００２９】
図４において、８は便蓋６を便器本体１側に傾倒させる場合に、前記便蓋６の回動に抵抗力を加える便蓋用のソフト閉止ユニットであり、その構造は後述するように、前記便座５に用いるソフト閉止ユニット７と同様である。
【００３０】
次に、便座５及び便蓋６を便座装置２のケーシング２ａに取付ける場合について説明する。はじめに、便座用のソフト閉止ユニット７を、図３，４の右側に位置する便座５のヒンジ部５ａ及び便蓋６のヒンジ部６ａにそれぞれ嵌挿する。前記のように、便座用のソフト閉止ユニット７を便座５及び便蓋６のそれぞれのヒンジ部５ａ，６ａに嵌挿すると、図１５（ａ）で示すように、便座５のヒンジ部５ａと対応するソフト閉止ユニット７の外周面に形成した矩形状のストッパー７ｄが、前記便座５のヒンジ部５ａに穿孔した係合孔５ｃの凸溝５ｅに係合し、便座５はソフト閉止ユニット７に対して共動可能に取付けられる。一方、図１５（ｂ）で示すように、便蓋６のヒンジ部６ａの係合孔６ｃに嵌合されるソフト閉止ユニット７の外周面にはストッパー等の突起物が形成されていないので、便蓋６はソフト閉止ユニット７に対して自由に回動できるように取付けられる。
【００３１】
つづいて、便蓋用のソフト閉止ユニット８を、図３，４の左側に位置する便蓋６のヒンジ部６ｂに嵌合するとともに、図１３の（ａ）に示すように、前記ソフト閉止ユニット８のヒンジ軸８ａに嵌着した回転筒体８ｂを図３の左側に位置する便座５のヒンジ部５ｂに嵌挿する。前記のように、便蓋用のソフト閉止ユニット８を便蓋６のヒンジ部６ｂに嵌合すると、図１６（ｂ）で示すように、ソフト閉止ユニット８の外周面に形成した三角形状のストッパー８ｃが、便蓋６のヒンジ部６ｂに形成した係合孔６ｄの凸溝６ｅに係合し、前記便蓋６はソフト閉止ユニット８に対して共動可能に取付けられる。一方、図１６（ａ）で示すように、便座５のヒンジ部５ｂに穿孔した係合孔５ｄに嵌合されるソフト閉止ユニット８は、その外周面に突起物が形成されていないので、便座５は閉止ユニット８に対して自由に回動できるように取付けられる。
【００３２】
この後、前記便座５及び便蓋６用のソフト緩閉止ユニット７，８のヒンジ軸７ａ，８ａを、ヒンジブロック３，３の支持孔３ａ，３ａにそれぞれ挿通・固定し、この状態で、前記ヒンジブロック３，３の凹孔３ｂ，３ｂにケーシング２ａの傾斜面２ｃに突設した係合突起２ｄ，２ｄを係合させるとともに、前記ヒンジブロック３の外周面に回動可能に取付けたサポートカバー３ｃを、該ヒンジブロック３に被着し、その内周面に形成した第１の係止フック３ｄを係合突起２ｄの凹溝２ｅに係合させ（図５，６参照）、かつ、第２の係止フック３ｅをヒンジブロック３の凹溝３ｆに係合させることにより、前記ヒンジブロック３，３を係合突起２ｄ，２ｄに対して抜脱不能に固定して、ケーシング２ａへの便座５及び便蓋６の取付け作業を終了する。
【００３３】
前記のようにして、便座５及び便蓋６は、各ソフト閉止ユニット７，８のヒンジ軸７ａ，８ａを中心として、ケーシング２ａに対して開閉可能に取付けることができる。このとき、便座５の一方のヒンジ部５ｂは、便蓋６用のソフト閉止ユニット８の回転筒体８ｂに回動できるように嵌合されており、また、便蓋６の一方のヒンジ部６ａは、便座５用のソフト閉止ユニット７の回転筒体７ｂに対して自由に回動できるように嵌合されているので、前記便座５，６の開閉動作に支障を来すようなことはない。
【００３４】
次に、前記のように、便座５及び便蓋６をケーシング２ａに取付けた状態で、便座５を起立させる場合について説明する。便座５，便蓋６は、便器本体１から起立させる前は図１，７，８，９のように、便器本体１上に重合され、かつ、倒伏状態で載置されている。
【００３５】
その際、図８，９に示すように、便座５，便蓋６の後背部端縁には、ケーシング２ａの傾斜面２ｃに突設した係合突起２ｄ，２ｄに挿脱自在に取付けたヒンジブロック３の後背部に設けた弧状の係合凹部１０に係脱自在に係合して便座５，便蓋６が、所定の起立角度を維持するための弧状係合縁１１及びく字状に曲折して形成した係止突部１２がそれぞれ形成されている。
【００３６】
前記便座５の後背部端縁に形成された弧状係合縁１１は、図９に示すように、便座５が倒伏状態下にあるときは、ヒンジブロック３の外周に回動自在に取付けたサポートカバー３ｃ上端縁の弧状部に摺接している。一方、便蓋６の後背部端縁に形成した係止突部１２は、同じく、図９に示すように、その突縁１２ａが、便座５の後端縁に当接した状態で、前記便座５上に倒伏保持されている。
【００３７】
前記の状態、即ち、便座５，便蓋６の倒伏状態から、例えば、小用時等において図３，１０，１１に示すように、便器本体１上に起立させると、図１１に示すように、便座５の後背部端縁に形成した弧状係合縁１１は、サポートカバー３ｃの上端からその後背部にかけて摺接し、前記弧状係合縁１１の端部が、ヒンジブロック３の係合凹部１０に当接して係止されるため、便座５を図１０に示すように、便蓋６にもたせ掛けたり、便蓋６を介してケーシング２ａの傾斜面２ｃ上部の垂直面に当接したりすることなく、独立した状態で起立保持することができる。
【００３８】
一方、便蓋６においても、便座５同様図１１に示すように、便蓋６の後背部端縁に形成した係止突部１２は、その突縁１２ａがヒンジブロック３の係合凹部１０内において、便座５の弧状係合縁１１の端縁に受止められた状態で起立保持される。この際、便蓋６の突縁１２ａ及び便座５の弧状係合縁１１とが、それぞれヒンジブロック３の係合凹部１０に当接していることにより、便座５は便蓋６がケーシング２ａ側に後退しようとする力により、ソフト閉止ユニット７を支点として倒伏方向に押動されるような状態となっているが、便座５は便蓋６に比べ約３倍以上の重量があるため、起立している便座５を倒伏することはなく、便座５はその起立状態を良好に保持している。
【００３９】
このように、便座５，便蓋６を便器本体１上で起立させたとき、便座５，便蓋６はそれぞれヒンジブロック３の後背部に形成された係合凹部１０内に良好に係止保持させることができるので、便座５，便蓋６は特別な係止手段を用いることなく、その起立状態を良好に維持することができる。しかも、この際、便蓋６の表面（ケーシング２ａ側と対応する面）は、ケーシング２ａと衝接することなく、ヒンジブロック３に係止されているため、ケーシング２ａと衝接して表面が損傷するという問題を確実に回避することができる。
【００４０】
次に、図１２（ａ），（ｂ）において、ヒンジブロック３をソフト閉止ユニット７に組込む場合について説明する。前記ヒンジブロック３を各ソフト閉止ユニット７，８に取付ける例については、段落番号〔００３０〕について詳述したが、ここで説明するのは、便座５，便蓋６の後背部端縁には、前記した便座５，便蓋６の起立保持用の弧状係合縁１１，係止突部１２が形成されているので、図１２に示すように、ヒンジブロック３の支持孔３ａを、ソフト閉止ユニット７のヒンジ軸７ａに平行させ、そのままヒンジブロック３をソフト閉止ユニット７側に移動させても、前記便座５，便蓋６側に形成した弧状係合縁１１，係止突部１２が邪魔になって、支持孔３ａとヒンジ軸７ａとの位置合せが良好に行えず、ヒンジブロック３をソフト閉止ユニット７に取付ける作業は非常に手間がかかり面倒であった。
【００４１】
即ち、ヒンジブロック３の取付けに当っては、前記係止突部１２が存在していることにより、その分ヒンジブロック７を少し傾斜させてソフト閉止ユニット７のヒンジ軸７ａに取付けることになる結果、支持孔３ａとヒンジ軸７ａとを同一線上で一致させることが難しく、これにより、両部材の結合に時間と手間を要していた。
【００４２】
本発明においては、図１２（ａ），（ｂ）に示すように、ソフト閉止ユニット７のヒンジ軸７ａの突端の１部を斜めに切欠いて斜設部１３を設けるとともに、前記ヒンジ軸７ａに形成した斜設部１３と対応するヒンジブロック３の支持孔３ａ開口端に、前記斜設部１３と係合する斜設部１３ａを設ける。
【００４３】
そして、前記斜設部１３，１３ａを互いに相対応させ、この状態でヒンジブロック３をヒンジ軸７ａ側に移動させると、斜設部１３，１４が互いに対応する位置に形成されているので、支持孔３ａとヒンジ軸７ａとが嵌め合い位置が少々ずれていたとしても、斜設部１３，１３ａの存在により、ヒンジブロック３はフリーな状態にあるため、係止突部１２等に邪魔されて支持孔３ａの位置がヒンジ軸７ａに対して少々ずれていたとしても、その位置ずれは、斜設部１３，１３ａによって修正することが可能となる。
【００４４】
即ち、斜設部１３，１３ａを設けることにより、支持孔３ａの開口端（角孔）をヒンジ軸７ａの突端（角筒）と位置合せを行っても、斜設部１３，１３ａにより支持孔３ａ，ヒンジ軸７ａの各角部の一部に、前記斜設部１３，１３ａによる隙間が生じ、この隙間を利用すれば支持孔３ａ，ヒンジ軸７ａの嵌め合い位置に多少ずれが生じていたとしても、両部材は隙間を利用して容易に嵌め合うことができ、両部材が嵌め合わせできれば、ヒンジブロック３をそのままソフト閉止ユニット７側に押動すれば、ヒンジ軸７ａは付勢機構７ｃに抗して回動し、これにより、両部材の嵌め合い位置が合致する。このため、あとはヒンジブロック３を押動することにより、係合手段が存在していても容易にヒンジブロック３をソフト閉止ユニット７に取付けることが可能となる。なお、図１３（ａ），（ｂ）に示すように、便蓋６側のソフト閉止ユニット８にヒンジブロック３を取付ける場合も、前記と同様の操作を行えばよいので、説明は省略する。
【００４５】
つづいて、図１７，１８において、便座５の上端部に重り１４を具備させ、便座５起立時、その枢支点（ソフト閉止ユニット７，８により枢支されている部位で、図１０に示すＣ点）に加わる重力から、ソフト閉止ユニット７，８の自立力を軽減する場合について説明する。
【００４６】
前記重り１４は、図１８に示すように、便座５の先端（起立時は上端となる）に便座５と同種部材にて便座５と一体的に形成するか、あるいは別の部材を用いて便座５の内部に装着すること等が考えられるが、重り１４の選択（形成する方法、重量等）は、便座５の重量、体積等を考慮し任意にすればよい。
【００４７】
前記重り１４を備えた便座５を図１０，１７に示すように起立させると、便座５はその上端部が枢支点Ｃの鉛直線の位置よりケーシング２ａに後退するため、便座５は起立状態を良好に保つことができる。一方、重り１４は便座５の上端（図１７参照）に取付けられているので、その重量はすべて便座５をケーシング２ａ側に向わせる力となって作用する。従って、便座５は外力により枢支点Ｃの鉛直線上を図１７において左方に越えない限り起立状態は良好に維持される。
【００４８】
この際、重り１４の重量はすべて枢支点Ｃに加わることになるため、ソフト閉止ユニット７，８の付勢機構７ｃの抵抗力の軽減化を図ることができる。便座５は便器本体１の大きさに対応させて体積，重量が異なり、一般に体積の大きな便座５は重量が嵩むため、ソフト閉止ユニット７，８の付勢機構は抵抗力を強くして形成されており、重量が軽い場合は前記とは逆となる。
【００４９】
このように、便座５にはその重量等に対応してソフト閉止ユニットを使い分ける必要があったが、便座５に重り１４を設けることにより、前記ソフト閉止ユニット７，８の抵抗力はすべて同一のものを使用することが可能となる。この結果、便座５の重量が比較的軽い場合、便座５を倒伏する際、枢支点Ｃの鉛直線を越えると便座５は重り１４の作用により、急速に倒伏方向に移動しようとするものの、ソフト閉止ユニット７，８が設けられているので、倒伏のスピードは重量がある便座ほど早くなるが、便座が便器本体１に衝接することは良好に回避することができる。
【００５０】
また、便座５はその後背部後端縁に設けた弧状係合縁１１によってヒンジブロック３に係止されているので、重り１４の重量により便座５が後退し、便蓋６をケーシング２ａと衝接させることも回避でき利便である。
【００５１】
次に、便蓋６に便蓋脚１５を取付ける場合について説明する。前記便蓋脚１５は便蓋６を便座５上面に乗載（倒伏）する際、便蓋６を緩衝的に乗載することにより、便蓋６が倒伏時の衝撃によって破損するのを防ぐために取付けられており、この便蓋脚１５は図２，１９〜２１に示すように、便蓋６の上部（図２の上部側）側面壁１６ａと表面壁１６ｂとにまたがって形成した便蓋脚取付孔部１７に表面を便蓋６の裏面から外方に突出させた状態で取付けられている。
【００５２】
即ち、前記便蓋脚取付孔部１７は、図２０，２１に示すように、便蓋６の側面壁１６ａ，表面壁１６ｂの各肉厚とほぼ同じ肉厚寸法で角筒状に複数個区画した区画壁１７ａによって形成されている。前記各区画壁１７ａの肉厚は、前述したように、便蓋６の側面壁１６ａ，表面壁１６ｂとほぼ同一の肉厚となるように設けられており、これに伴い、便蓋脚取付孔部１７の区画壁１７ａと側面壁１６ａ等との境界部における肉厚寸法は、前記便蓋脚取付孔部１７が角筒状に形成されていることにより、便蓋６の側面壁１６ａ等とほぼ同一の肉厚寸法で形成することが可能となる。
【００５３】
従って、便蓋６を成形加工する場合、便蓋６はその側面壁１６ａ，表面壁１６ｂ，便蓋脚取付孔部１７の各区画壁１７ａはほぼ同一の肉厚寸法とし、かつ、便蓋脚取付孔部１７自体を角筒状として便蓋脚取付孔部１７の区画壁１７ａと便蓋６の側面壁１６ａ，表面壁１６ｂとをほぼ直交するように交差させて形成することによって、肉厚差による便蓋６側面壁１６ａ，表面壁１６ｂに凹状の歪が生じるのを確実に解消することができ、便蓋６自体を歪をなくして見映えよく成形加工することができる。
【００５４】
前記のようにして構成した便蓋６の便蓋脚取付孔部１７に、図２２に示す便蓋脚１５の取付脚部１５ａを挿着することにより、便蓋６にこれを緩衝的に支持する便蓋脚１５を取付ける等しても、その部位において便蓋６に歪が発生するという問題を確実に回避することができるものである。
【００５５】
つづいて、図２３において、ケーシング２ａの前面（図２３の手前側）垂直面２ｆには、便蓋６の表面が、前記垂直面２ｆ上端の全域に当接することにより、経年の間に損傷するのを阻止する当接阻止片１８が、ケーシング２ａと一体に形成されており、この当接阻止片１８の存在により、便蓋６はその起立時に、力強く起立させたときに生ずる反動でケーシング２ａに衝接しようとした場合、前記当接阻止片１８に受止められ、衝接によって損傷部位が拡大するのを防ぎ、便蓋６の表面を長期にわたり美れいに維持することができる。
【００５７】
【発明の効果】
本発明は、以上説明したように構成されているので、次に示すような効果を有する。請求項１記載の発明は、ケーシング前面の傾斜面両端部に係合突起を上方に突設し、この係合突起に便座および便蓋の後背部両端を枢支するソフト閉止ユニットのヒンジ軸を挿通支持したヒンジブロックを挿脱自在に嵌合し、前記便座の後背部端縁および便蓋の後背部端縁に形成した係止手段を前記ヒンジブロックの背面に係止させるように構成したので、便蓋の表面がその起立時ケーシングに衝接するのを良好に回避でき、かつ、便座および便蓋は水洗等に当りケーシングに対してヒンジブロックを利用して１動作で取り外すことができるため、便座等の清掃が容易に行うことができる。
【００５８】
請求項２記載の発明は、ソフト閉止ユニットのヒンジ軸とこのヒンジ軸を挿入支持するヒンジブロックの支持孔に、それぞれ対応する位置で斜設部を形成し、これら斜設部により、支持孔を利用してヒンジブロックをヒンジ軸に嵌合する際、便座の後背部端縁および便蓋の後背部端縁に形成した係止手段に邪魔されて、ヒンジブロックの支持孔が、ヒンジ軸に対して嵌合位置を少しずれていたとしても、嵌め合い関係に遊びが生じていることにより容易に嵌合することが可能となり、この結果、前記係止手段が存在していても、ヒンジブロックはそれに妨げられることなく迅速・容易に、かつ、確実にヒンジ軸に取付けることができるので、これにより、便座の後背部端縁および便蓋の後背部端縁に係止手段が存在していても、ヒンジブロックとソフト閉止ユニットとの組立作業が円滑に行えるという利点がある。
【００５９】
請求項３記載の発明は、便座の先端部に重りを具備させて構成するようにしたので、便座の起立後、前記重りの重量が便座および便蓋を枢支するソフト閉止ユニットの枢支部側に加わることになるため、前記ソフト閉止ユニットは、便座が倒伏方向に傾斜するのを抑制する抵抗部材の抵抗力軽減が前記重りの存在によって良好に行い得、これによりソフト閉止ユニットの自立力軽減化が容易に図れ、ソフト閉止ユニットは長期にわたり自立力を低下させることなく使用することが可能となる。
【００６０】
請求項４記載の発明は、前記便座の先端部に設けた重りを、便座と同質材料で便座と一体的に形成するか、あるいは、重り自体を別に設けて便座先端の空所を利用して設けるようにしたので、前記重りを便座に具備させても、格別便座の製造に手間を要したり、あるいは、製造コストをいたずらに上昇させることはないため、重りが存在していても、便座自体はコストを上昇させることなく、迅速・容易に製造できるという利点もある。
【００６１】
請求項５記載の発明は、便蓋の側面壁内側に便蓋脚を取付けるための便蓋脚取付孔部を形成する区画壁と、前記便蓋の側面壁や便蓋の表面壁とが交差する境界端面の板厚を、前記便蓋の側面壁等の板厚とほぼ同厚となるように構成したので、便蓋の成形加工時、板厚差によって便蓋脚取付孔部付近の一部壁面に凹状の歪が生じるのを確実に回避することができるため、便蓋を見映よく美れいに形成することができる。
【図面の簡単な説明】
【図１】本発明の便座装置を便器本体に据え付けた状態を示す斜視図である。
【図２】便蓋を開いた状態を示す斜視図である。
【図３】便座及び便蓋を開いた状態を示す正面図である。
【図４】便座及び便蓋と便座装置のケーシングとを分解して示す斜視図である。
【図５】ケーシングの係合突起へのヒンジブロックの係合動作を説明するための斜視図である。
【図６】係合突起にヒンジブロックを取付けた状態を示す縦断側面図である。
【図７】本発明の便座装置を示す斜視図である。
【図８】倒伏時における便座・便蓋の後背部端縁と、便座・便蓋の枢支部との関係を示す要部断面図である。
【図９】便座・便蓋の枢支部を拡大して示す拡大要部断面図である。
【図１０】便座・便蓋を起立させた状態を示す側面図である。
【図１１】便座・便蓋を起立させたとき、その後背部端縁の係合状態を示す要部断面図である。
【図１２】（ａ）はヒンジブロックと便座側のソフト閉止ユニットとを分解して示す斜視図である。（ｂ）同じく便座側のソフト閉止ユニットとヒンジブロックとの関係を示す斜視図である。
【図１３】（ａ）はヒンジブロックと便蓋側のソフト閉止ユニットとを分解して示す斜視図である。（ｂ）は同じく便蓋側のソフト閉止ユニットとヒンジブロックとの関係を示す斜視図である。
【図１４】ソフト閉止ユニットの要部を縦断して示す断面図である。
【図１５】（ａ）は便座用のソフト閉止ユニットと便座のヒンジ部との係合状態を示す要部拡大図、（ｂ）は便座用のソフト閉止ユニットと便蓋のヒンジ部との係合状態を示す要部拡大図である。
【図１６】（ａ）は便蓋用のソフト閉止ユニットと便座のヒンジ部との係合状態を示す要部拡大図、（ｂ）は便蓋用のソフト閉止ユニットと便蓋のヒンジ部との係合状態を示す要部拡大図である。
【図１７】便座の先端に重りを具備した便座装置の要部断面図である。
【図１８】重りの取付状態を示す便座の要部断面図である。
【図１９】便蓋脚と便蓋脚取付孔部との関係を示す斜視図である。
【図２０】便蓋脚取付孔部と便蓋側面壁との関係を示す平面図である。
【図２１】便蓋脚取付孔部と便蓋表面壁との関係を示す斜視図である。
【図２２】便蓋脚の斜視図である。
【図２３】図７に示すＰ部分を拡大して示す斜視図である。
【図２４】従来の便座装置を示す斜視図である。
【図２５】従来の便蓋取付脚を挿着する取付部を示す平面図である。
【図２６】同じく、要部を示す斜視図である。
【符号の説明】
１  便器本体
２  便座装置
２ａ  ケーシング
２ｄ  係合突起
３  ヒンジブロック
５  便座
５ａ，５ｂ  ヒンジ部
６  便蓋
６ａ，６ｂ  ヒンジ部
７，８  ソフト閉止ユニット
１１  弧状係合縁
１２  係止突部
１２ａ  突縁
１３，１３ａ  斜設部
１４  重り
１５  便蓋脚
１６ａ  側面壁
１６ｂ  表面壁
１７  便蓋脚取付孔部
１７ａ  区画壁
１８  当接阻止片
【図１】
0004598990.tif 000002
【図２】
0004598990.tif 000003
【図３】
0004598990.tif 000004
【図４】
0004598990.tif 000005
【図５】
0004598990.tif 000006
【図６】
0004598990.tif 000007
【図７】
0004598990.tif 000008
【図８】
0004598990.tif 000009
【図９】
0004598990.tif 000010
【図１０】
0004598990.tif 000011
【図１１】
0004598990.tif 000012
【図１２】
0004598990.tif 000013
【図１３】
0004598990.tif 000014
【図１４】
0004598990.tif 000015
【図１５】
0004598990.tif 000016
【図１６】
0004598990.tif 000017
【図１７】
0004598990.tif 000018
【図１８】
0004598990.tif 000019
【図１９】
0004598990.tif 000020
【図２０】
0004598990.tif 000021
【図２１】
0004598990.tif 000022
【図２２】
0004598990.tif 000023
【図２３】
0004598990.tif 000024
【図２４】
0004598990.tif 000025
【図２５】
0004598990.tif 000026
【図２６】
0004598990.tif 000027